(57)【特許請求の範囲】
【請求項１】
オーディオ信号を入力する入力手段と、
前記オーディオ信号を記録媒体に記録し、前記記録媒体に記録されたオーディオ信号を再生する処理手段と、
前記処理手段での記録あるいは再生の状態情報を表示する表示手段と、
無線ＬＡＮモジュールと、
を備え、
前記処理手段は、前記無線ＬＡＮモジュールと携帯機器が無線接続されたときに、前記表示手段を点灯状態から消灯状態に制御し、かつ、前記記録あるいは再生の状態情報を前記無線ＬＡＮモジュールを介して前記携帯機器に送信し、前記表示手段が消灯状態であるときに前記携帯機器から受信したコマンドに応じて、前記オーディオ信号の前記記録媒体への記録、及び、前記記録媒体に記録されたオーディオ信号の再生の少なくとも一方を開始する、
ことを特徴とする無線ＬＡＮ機能を備えた録音再生装置。
【請求項２】
オーディオ信号を入力する入力手段と、
前記オーディオ信号を記録媒体に記録し、前記記録媒体に記録されたオーディオ信号を再生する処理手段と、
前記処理手段での記録あるいは再生の状態情報を表示する表示手段と、
無線ＬＡＮモジュールと、
を備え、
前記処理手段は、前記無線ＬＡＮモジュールと携帯機器が無線接続され前記携帯機器で所定のアプリケーションの起動を検知したときに、前記表示手段を点灯状態から消灯状態に制御し、かつ、前記記録あるいは再生の状態情報を前記無線ＬＡＮモジュールを介して前記携帯機器に送信し、前記表示手段が消灯状態であるときに前記携帯機器から受信したコマンドに応じて、前記オーディオ信号の前記記録媒体への記録、及び、前記記録媒体に記録されたオーディオ信号の再生の少なくとも一方を開始する、
ことを特徴とする無線ＬＡＮ機能を備えた録音再生装置。
【請求項３】
請求項２記載の無線ＬＡＮ機能を備えた録音再生装置において、
前記処理手段は、前記携帯機器で前記所定のアプリケーションの終了を検知することなく前記無線ＬＡＮモジュールと前記携帯機器との無線接続が切断されたときに、前記表示手段を消灯状態から点灯状態に制御する
ことを特徴とする無線ＬＡＮ機能を備えた録音再生装置。
【発明の詳細な説明】
【技術分野】
【０００１】
本発明は録音再生装置に関し、特に無線ＬＡＮ機能を備えた録音再生装置に関する。
【背景技術】
【０００２】
従来から、携帯機器の省電力化のために、特定の状況下において表示部を消灯する技術が提案されている。
【０００３】
特許文献１には、装置本体の節電のために、装置の非動作時に表示部を消灯することが記載されている。
【０００４】
特許文献２には、記録再生動作の実行時に表示部を消灯することが記載されている。
【０００５】
特許文献３には、ホールド機能により操作スイッチがロックされているときに表示部を消灯することが記載されている。
【０００６】
また、表示部の消灯に関する技術ではないが、特許文献４には、スマートフォンをカーオーディオの表示装置とタッチ操作ターミナルとして使用し、無線通信を介してスマートフォンでカーオーディオをコントロールすることが記載されている。
【先行技術文献】
【特許文献】
【０００７】
【特許文献１】特開平１０−０５１９５３号公報
【特許文献２】特許第２９８５２００号
【特許文献３】特許第４５２２５２６号
【特許文献４】実用新案登録第３１７９２５６号
【発明の概要】
【発明が解決しようとする課題】
【０００８】
特許文献１では、記録再生装置が動作している間は常に表示部が点灯状態となるため、動作中の節電効果に乏しい問題がある。
【０００９】
また、特許文献２では、記録再生動作中でも表示部を消灯するため、動作中の節電効果は高いが、他方で、表示部を消灯してしまうと動作中における動作の状態を確認することができない問題が生じる。
【００１０】
また、特許文献３のように、スイッチの操作により所定時間だけ時刻情報を表示するようにすることも考えられるが、表示部の点灯／消灯を繰り返すとノイズ発生の要因となるだけでなく、誤操作や誤動作の可能性もある。
【００１１】
本発明は、上記従来技術の有する課題に鑑みなされたものであり、その目的は、動作中であっても表示部を消灯することで節電するとともに、表示部が消灯状態であってもユーザが動作状態を容易に確認することができる録音再生装置を提供することにある。
【課題を解決するための手段】
【００１２】
本発明は、オーディオ信号を入力する入力手段と、前記オーディオ信号を記録媒体に記録し、前記記録媒体に記録されたオーディオ信号を再生する処理手段と、前記処理手段での記録あるいは再生の状態情報を表示する表示手段と、無線ＬＡＮモジュールとを備え、前記処理手段は、前記無線ＬＡＮモジュールと携帯機器が無線接続されたときに、前記表示手段を点灯状態から消灯状態に制御し、かつ、前記記録あるいは再生の状態情報を前記無線ＬＡＮモジュールを介して前記携帯機器に送信し、前記表示手段が消灯状態であるときに前記携帯機器から受信したコマンドに応じて、前記オーディオ信号の前記記録媒体への記録、及び、前記記録媒体に記録されたオーディオ信号の再生の少なくとも一方を開始する、ことを特徴とする。
【００１３】
また、本発明は、オーディオ信号を入力する入力手段と、前記オーディオ信号を記録媒体に記録し、前記記録媒体に記録されたオーディオ信号を再生する処理手段と、前記処理手段での記録あるいは再生の状態情報を表示する表示手段と、無線ＬＡＮモジュールとを備え、前記処理手段は、前記無線ＬＡＮモジュールと携帯機器が無線接続され前記携帯機器で所定のアプリケーションの起動を検知したときに、前記表示手段を点灯状態から消灯状態に制御し、かつ、前記記録あるいは再生の状態情報を前記無線ＬＡＮモジュールを介して前記携帯機器に送信し、前記表示手段が消灯状態であるときに前記携帯機器から受信したコマンドに応じて、前記オーディオ信号の前記記録媒体への記録、及び、前記記録媒体に記録されたオーディオ信号の再生の少なくとも一方を開始する、ことを特徴とする。
【００１４】
本発明の１つの実施形態では、前記処理手段は、前記携帯機器で前記所定のアプリケーションの終了を検知することなく前記無線ＬＡＮモジュールと前記携帯機器との無線接続が切断されたときに、前記表示手段を消灯状態から点灯状態に制御する。
【発明の効果】
【００１５】
本発明によれば、動作中であっても表示部を消灯することで節電するとともに、表示手段が消灯状態であってもユーザが動作状態を容易に確認することができる。
【図面の簡単な説明】
【００１６】
【図１】実施形態のシステム構成図である。
【図２】実施形態の処理フローチャートである。
【図３】実施形態の録音再生装置の構成ブロック図である。
【発明を実施するための形態】
【００１７】
以下、図面に基づき本発明の実施形態について説明する。
【００１８】
図１は、本実施形態のシステム構成図である。録音再生装置１０は、無線接続機能を備えた携帯機器と無線接続する。本実施形態では、無線接続機能を備えた携帯機器としてスマートフォン１２を例示し、無線接続として無線ＬＡＮ、より特定的にはＷｉ−Ｆｉ接続を例示する。Ｗｉ−Ｆｉモジュール等のＷｉ−Ｆｉ通信機能を備えたスマートフォンは公知であり、無線ルータ等のアクセスポイントを介してインターネットに接続し得る。
【００１９】
録音再生装置１０は、公知の録音再生機能を備え、内蔵マイク２２やライン入力端子２４から入力されたオーディオ信号を処理してＳＤカード等の記録媒体に記録し、かつ、ＳＤカードに記録されたオーディオ信号を再生して内蔵スピーカから出力する。また、録音再生装置１０は、Ｗｉ−Ｆｉモジュールを備え、スマートフォン１２との間でＷｉ−Ｆｉ接続する。録音再生装置１０とスマートフォン１２との間のＷｉ−Ｆｉ接続は、基本的には１対１接続であるが、必要に応じて１対多接続でもよい。
【００２０】
録音再生装置１０のユーザは、所望の楽曲パートを演奏し、所望のオーディオ信号を録音再生装置１０の内蔵マイク２２あるいはライン入力端子２４に入力して録音する。図１では、所望の楽曲パートとしてギター等の楽器１４のパートが示されているが、これ以外の任意のパート、例えばベースパート、ヴォーカルパート、ドラムパート等でもよい。録音再生装置１０は、楽器１４により生成されたオーディオ信号を入力してＳＤカード等の記録媒体に記録して録音する。
【００２１】
スマートフォン１２は、Ｗｉ−Ｆｉモジュール等のＷｉ−Ｆｉ通信機能を備え、録音再生装置１０とＷｉ−Ｆｉ接続する。ユーザは、スマートフォン１２にインストールされた所定のアプリケーション（録音再生装置１０の監視や制御に必要なアプリケーション）を起動し、このアプリケーションを操作して、録音再生装置１０の動作を制御する。すなわち、アプリケーションを操作することでスマートフォン１２を録音再生装置１０のリモコンとして機能させ、録音再生装置１０の録音開始や録音停止、再生開始や再生停止等を指示する。
【００２２】
録音再生装置１０は、スマートフォン１２からＷｉ−Ｆｉを介して送信された各種コマンドを処理し、このコマンドに応じて録音あるいは再生を実行する。また、スマートフォン１２との間でＷｉ−Ｆｉ接続が確立したことをトリガとして、その表示部を点灯状態から消灯状態に自動的に移行し、動作中の電力消費量を低減する。
【００２３】
また、録音再生装置１０は、表示部を点灯状態から消灯状態に自動的に移行するとともに、その動作状態、すなわち録音あるいは再生の状態の情報（ステータス情報）をＷｉ−Ｆｉを介してスマートフォン１２に送信する。従って、スマートフォン１２のユーザは、たとえ録音再生装置１０の表示部が消灯状態であったとしても、スマートフォン１２の画面を視認することで、録音再生装置１０の動作状態を容易に確認することができる。
【００２４】
図２は、本実施形態の処理フローチャートである。
【００２５】
まず、録音再生装置１０を所望の位置に設置し、電源をオンするとともに、Ｗｉ−Ｆｉモジュールをオンする（Ｓ１０１）。すなわち、録音再生装置１０のＷｉ−Ｆｉボタンを操作してＷｉ−Ｆｉモジュールを起動する。Ｗｉ−Ｆｉモジュールが起動すると、録音再生装置１０のＷｉ−ＦｉのＬＥＤ（以下、単にＬＥＤと称する）が点滅し、スタンバイ状態にあることを示す（Ｓ１０２）。
【００２６】
他方、ユーザは、スマートフォン１２側のＷｉ−Ｆｉボタンあるいはアイコンを操作してＷｉ−Ｆｉモジュールを起動する。スマートフォン１２で録音再生装置１０を検出し、録音再生装置１０の無線ＬＡＮにおけるアクセスポイントの識別名であるＳＳＩＤが表示されたときに、これに対応するパスワードを入力してＷｉ−Ｆｉ接続を確立する（Ｓ１０３）。なお、パスワードは、録音再生装置１０の表示部に表示してユーザに視認させてもよい。また、スマートフォン１２と録音再生装置１０との接続は、ＮＦＣ（Near Field Communication）技術を使用して確立させるようにしてもよい。
【００２７】
録音再生装置１０は、特定のスマートフォン１２との間にＷｉ−Ｆｉ接続を確立し、特定のスマートフォン１２における所定のアプリケーションの起動を確認すると（Ｓ１０３１）、ＬＥＤは点滅状態から点灯状態に移行する（Ｓ１０４）。そして、スマートフォン１２との間にＷｉ−Ｆｉ接続が確立したことをトリガとして、ディスプレイは点灯状態から消灯状態に移行する（Ｓ１０５）。ディスプレイには、録音再生装置１０の各種状態が表示されるが、ディスプレイを消灯することで、消費電力を削減することができ、これにより内蔵バッテリの消耗を抑えることができる。なお、ディスプレイを消灯しても、録音再生装置１０の他のモジュール（Ｗｉ−Ｆｉモジュールを含む）は起動状態にあるため、スマートフォン１２との接続状態はそのまま維持される。
【００２８】
次に、録音再生装置１０は、スマートフォン１２からコマンドを受信すると（Ｓ１０６でＹＥＳ）、そのコマンドを解釈し、コマンドに応じた動作を実行する（Ｓ１０７）。コマンドを例示すると、録音の開始、録音の一時停止、録音の停止、再生開始、再生の停止等である。録音開始コマンドを受信すると、録音再生装置１０は、録音動作を開始する。すなわち、内蔵マイクあるいはライン入力端子から入力されたオーディオ信号に対し、デジタル変換処理、符号化処理、圧縮処理等を施してＳＤカード等の記録媒体に記録する。コマンドには、ディスプレイの点灯コマンドも含まれる。録音再生装置１０は、受信したコマンドが点灯コマンドであれば、これに応じてディスプレイを消灯から点灯に移行する。
【００２９】
また、録音再生装置１０は、コマンドに応じた動作を実行するとともに、ステータス情報をスマートフォン１２に送信する（Ｓ１０７）。録音時のステータス情報は、録音レベルやタイムカウンタ、録音トラック等である。再生時のステータス情報は、再生レベルやタイムカウンタ、再生トラック等である。勿論、ステータス情報として、内蔵バッテリの残存容量を送信してもよい。
【００３０】
スマートフォン１２は、録音再生装置１０から送信されたステータス情報を受信し、アプリケーションにより画面上に当該ステータス情報を表示する。ユーザは、この画面を視認することで、録音レベルや時間等を確認することができる。ユーザがアプリケーションを操作して録音の一時停止や停止コマンドを送信すると、録音再生装置１０はこのコマンドに応じて録音の一時停止や停止を実行する。
【００３１】
ユーザがスマートフォン１２のアプリケーションを終了すると（Ｓ１０８）、録音再生装置１０はアプリケーションの終了を検知し、動作を停止する（Ｓ１０９）。すなわち、録音実行中であれば録音を停止し、再生実行中であれば再生を停止する。また、ディスプレイも消灯のまま維持する。なお、Ｗｉ−Ｆｉ接続はそのまま維持するが、アプリケーション終了状態でＷｉ−Ｆｉ接続が切断された場合には、Ｗｉ−Ｆｉ接続が非接続状態になったと判断し、ＬＥＤを消灯させてもよい。この場合、一旦、Ｗｉ−Ｆｉ接続待機状態に移行し（ＬＥＤ点滅）、所定時間（予め決められた接続待機時間）経過後にＷｉ−Ｆｉが非接続状態になったと判断してもよい（ＬＥＤ消灯）。
【００３２】
スマートフォン１２のアプリケーションが動作中である場合、録音再生装置１０はＷｉ−Ｆｉ接続が切断されたか否かを判定する（Ｓ１１０）。Ｗｉ−Ｆｉ接続が維持されていれば、Ｓ１０６に移行してスマートフォン１２からのコマンド受信待機状態になり、ディスプレイを消灯状態に維持しつつステータス情報をスマートフォン１２に送信する。他方、Ｗｉ−Ｆｉ接続が何らかの原因で切断された場合、録音再生装置１０は動作状態をそのまま維持するとともに、ＬＥＤを点滅させる（Ｓ１１１）。Ｗｉ−Ｆｉ接続が切断された場合でも動作状態をそのまま維持するのは、例えば録音実行中であればその状態をそのまま維持してオーディオ信号を確実に録音するためである。これに対し、アプリケーション終了時に動作を停止するのは、アプリケーション終了はユーザによる録音再生装置１０の動作停止も意味すると考えられるからである。
【００３３】
なお、Ｓ１１１でＬＥＤを点滅させた場合、ディスプレイについてはそのまま消灯状態を維持する他に、Ｗｉ−Ｆｉ接続が切断されたことに伴ってディスプレイを消灯状態から点灯状態に移行してもよい。これは、Ｗｉ−Ｆｉ接続の切断によりスマートフォン１２では録音再生装置１０のステータス情報を確認できないためである。また、Ｓ１１１でＬＥＤ点滅後、Ｗｉ−Ｆｉが再接続されることなく所定時間（予め決められた接続待機時間）が経過した場合、あるいは録音再生装置１０の動作が停止した場合は、Ｗｉ−Ｆｉが非接続状態になったと判断し、ＬＥＤを消灯してもよい。
【００３４】
また、図２の処理では、Ｗｉ−Ｆｉ接続の確立をトリガとして録音再生装置１０のディスプレイを消灯しているが、スマートフォン１２での所定のアプリケーションの起動を検知し、アプリケーションの起動をトリガとして録音再生装置１０のディスプレイを消灯してもよい。
【００３５】
録音再生装置１０とスマートフォン１２の連携と、録音再生装置１０のディスプレイの状態との関係をまとめると、以下の通りである。
（１）Ｗｉ−Ｆｉ非接続時
ディスプレイは点灯
（２）Ｗｉ−Ｆｉ接続時あるいはアプリケーション起動時
ディスプレイは点灯から消灯に移行
（３）Ｗｉ−Ｆｉ接続中かつアプリケーション起動中
ディスプレイは消灯
（４）Ｗｉ−Ｆｉ接続中かつアプリケーション終了
ディスプレイは消灯（あるいは点灯してもよい）
【００３６】
なお、ディスプレイが消灯から点灯にするのは、スマートフォン１２から点灯コマンドを受信した場合、あるいは操作ボタン３４（図３参照）で点灯が指示された場合、あるいはスマートフォン１２のアプリケーションが終了せずにＷｉ−Ｆｉ接続が切断された場合である。
【００３７】
また、ＬＥＤの点灯状態は、以下の通りである。
（１）Ｗｉ−Ｆｉ非接続時
ＬＥＤは消灯
（２）Ｗｉ−Ｆｉ接続待機中
ＬＥＤは点滅
（３）Ｗｉ−Ｆｉ接続時あるいはアプリケーション起動時
ＬＥＤは点灯
（４）Ｗｉ−Ｆｉ接続中かつアプリケーション起動中
ＬＥＤは点灯
（５）Ｗｉ−Ｆｉ接続中かつアプリケーション終了
ＬＥＤは点灯
【００３８】
次に、本実施形態における録音再生装置１０の具体的な構成について説明する。
【００３９】
図３は、本実施形態の録音再生装置１０の構成ブロック図である。録音再生装置１０は、Ｗｉ−Ｆｉモジュール２０、内蔵マイク２２、ライン入力端子２４、内蔵スピーカ３０、ディスプレイ３２、ＬＥＤ３３、操作ボタン３４、システムコントローラ３６、及びＳＤコネクタ４２を備える。
【００４０】
Ｗｉ−Ｆｉモジュール２０は、無線ＬＡＮモジュールであり、スマートフォン１２とのＷｉ−Ｆｉ接続及びデータ送受を行うモジュールである。Ｗｉ−Ｆｉモジュール２０は、操作ボタン３４の操作に応じて起動し、スマートフォン１２とのＷｉ−Ｆｉ接続を確立する。また、Ｗｉ−Ｆｉモジュール２０は、スマートフォン１２からコマンドを受信し、受信したコマンドをシステムコントローラ３６に供給する。このコマンドは、録音再生装置１０の動作を制御するコマンドであり、録音開始、録音停止等である。また、Ｗｉ−Ｆｉモジュール２０は、システムコントローラ３６から供給されたステータス情報をスマートフォン１２に送信する。
【００４１】
内蔵マイク２２は、Ｒチャンネル及びＬチャンネルのステレオマイクであり、演奏された楽器等のオーディオ信号を入力し、インタフェース（Ｉ／Ｆ）２６に出力する。
【００４２】
ライン入力端子２４は、外部機器からのオーディオ信号をライン入力し、インタフェース（Ｉ／Ｆ）２６に出力する。
【００４３】
インタフェース（Ｉ／Ｆ）２６は、内蔵マイク２２あるいはライン入力端子２４からのオーディオ信号をコーデック（ＣＯＤＥＣ）２８に出力する。
【００４４】
コーデック（ＣＯＤＥＣ）２８は、入力されたオーディオ信号をデジタル信号に変換し、圧縮及び符号化してシステムコントローラ３６に供給する。また、システムコントローラ３６から供給されたオーディオ信号を伸長及び復号化し、アナログオーディオ信号に変換して内蔵スピーカ３０から出力する。コーデック（ＣＯＤＥＣ）２８は、内蔵マイク２２あるいはライン入力端子２４からのオーディオ信号を処理するモジュールと、内蔵スピーカ３０に出力するオーディオ信号を処理するモジュールに分離していてもよい。
【００４５】
ディスプレイ３２は、ＬＣＤパネルあるいは有機ＥＬパネル等から構成され、録音再生装置１０の各種ステータス情報、例えば録音／再生のタイムカウンタや録音レベルを表示する。ディスプレイ３２は、システムコントローラ３６からの制御信号により、点灯状態あるいは消灯状態に移行する。
【００４６】
ＬＥＤ３３は、Ｗｉ−Ｆｉモジュール２０の起動状態や接続状態を示す。ＬＥＤ３３は、Ｗｉ−Ｆｉモジュール２０がオフでは消灯状態、Ｗｉ−Ｆｉモジュール２０がオンでは点滅状態（スタンバイ状態）、Ｗｉ−Ｆｉモジュール２０がオンであり、かつＷｉ−Ｆｉ接続状態で点灯状態に移行する。
【００４７】
操作ボタン３４は、録音再生装置１０の動作を指示するボタンである。操作ボタン３４には、Ｗｉ−Ｆｉのオン／オフを切り替えるＷｉ−Ｆｉボタン、録音／再生／停止ボタン、録音レベル調整ボタン、トラック選択ボタン等が含まれる。操作ボタン３４をジョグダイヤルやディスプレイ３２上のタッチボタンとして構成してもよい。録音再生装置１０とスマートフォン１２がＷｉ−Ｆｉ接続され、スマートフォン１２のアプリケーションで録音再生装置１０の動作を制御可能であっても、これらの操作ボタン３４は引き続き有効（アクティブ状態）に設定される。すなわち、システムコントローラ３６は、スマートフォン１２からのコマンドを解釈するとともに、操作ボタン３４からの指示も同時に受け付ける。
【００４８】
システムコントローラ３６は、プロセッサ及びメモリで構成され、録音再生装置１０の各部を制御する。システムコントローラ３６は、ＲＯＭ３８に記録された処理プログラムに従い、ＲＡＭ４０をワーキングメモリとして用いて各種処理を実行する。各種処理には、Ｗｉ−Ｆｉモジュール２０の起動／オフ、スマートフォン１２との接続確立、内蔵マイク２２あるいはライン入力端子２４から入力されたオーディオ信号の処理、当該オーディオ信号のＳＤカードへの記録、当該オーディオ信号の再生、ステータス情報のＷｉ−Ｆｉモジュール２０への供給、ディスプレイ３２の点灯／消灯制御、ＬＥＤ３３の点灯／点滅／消灯、操作ボタン３４の操作に対する処理等が含まれる。システムコントローラ３６は、複数のプロセッサを備えていてもよく、ＰＬＤ（プログラマブルロジックデバイス）と協働してもよい。
【００４９】
ＳＤコネクタ４２には、ＳＤカードが装着される。システムコントローラ３６は、オーディオ信号をＳＤカードに記録することで録音する。また、ＳＤカードに記録されているオーディオ信号を読み出し、コーデック（ＣＯＤＥＣ）２８を介して内蔵スピーカ３０から出力する。
【００５０】
システムコントローラ３６は、操作ボタン３４の操作に応じてＷｉ−Ｆｉモジュール２０を起動し、ＬＥＤ３３を点滅させる。Ｗｉ−Ｆｉモジュール２０でスマートフォン１２のＷｉ−Ｆｉ接続が確立すると、ディスプレイ３２を点灯状態から消灯状態に移行し、ＬＥＤ３３を点滅状態から点灯状態に移行する。なお、システムコントローラ３６は、スマートフォン１２でのアプリケーション起動を、スマートフォン１２からの起動コマンドの受信により検知してディスプレイ３２を点灯状態から消灯状態に移行してもよい。また、システムコントローラ３６は、スマートフォン１２からコマンドを受信し、コマンドに応じた録音開始、録音停止、あるいは再生開始等を実行する。また、ディスプレイ点灯のコマンドを受信すると、ディスプレイ３２を消灯状態から点灯状態に移行する。
【００５１】
以上のように、本実施形態によれば、スマートフォン１２とのＷｉ−Ｆｉ接続の確立、あるいはスマートフォン１２でのアプリケーション起動をトリガとしてディスプレイ３２を消灯させるので、録音再生装置１０の消費電力を低減することができる。また、ディスプレイ３２の消灯に連動して録音再生装置１０のステータスをスマートフォン１２に送信するので、ユーザはたとえ録音再生装置１０のディスプレイ３２が消灯状態であっても録音再生装置１０の動作状態をスマートフォン１２の画面で容易に確認することができるため操作性に優れる。
【００５２】
本実施形態では、無線接続としてＷｉ−Ｆｉ接続を例示したが、ブルートゥース（商標登録）等を用いてもよい。
【符号の説明】
【００５３】
１０  録音再生装置、１２  スマートフォン、１４  楽器、２０  Ｗｉ−Ｆｉモジュール、２２  内蔵マイク、２４  ライン入力端子、３０  内蔵スピーカ、３２  ディスプレイ、３３  ＬＥＤ、３４  操作ボタン、３６  システムコントローラ、４２  ＳＤコネクタ。
【図１】
0006606825.tif 000002
【図２】
0006606825.tif 000003
【図３】
0006606825.tif 000004